(57)【要約】      （修正有）【課題】容器頂部の蓋部を十分に係止させて注ぎ口を広くあけておくことができ、消費者が快適にジュースや牛乳などの液体食品を飲用することができる包装容器及び包装容器用開封装置を提供する。【解決手段】包装容器は、容器スリーブと容器頂部とからなり、容器頂部が、注出口と、蓋部と、ヒンジ部とを備え、ヒンジ部は、蓋部の回転中心部と、回転中心部近傍であって容器頂部から後方に突出した第１係止部と、回転中心部近傍であって蓋部から後方に突出した第２係止部とを備え、第１係止部及び第２係止部は、蓋部の開放回転に伴って、お互いに接触し、一方が、開放回転方向に変形容易な他方を変形させて引っ掛かり、蓋部の逆回転に伴って、逆回転方向に変形し難い他方によって一方の引っ掛かりを維持し、一方の係止部が、断面く字形状を有して、他方の係止部が、断面突起形状を有している、ことを特徴とする。【選択図】図３
2007153381.tif 000002
【特許請求の範囲】
【請求項１】
ウェブ状の積層紙包装材料が所定形状に裁断され、容器縦方向に縦シールした容器スリーブが得られ、該スリーブ上端部に薄い器壁厚の容器頂部がインジェクション成形によってプラスチックで形成され、該スリーブ下端部である容器底部の開口から食品が充填され、該底部がシールされて得られた包装容器であって、
該容器頂部が、注出口と、
該注出口の外周に形成された肉薄部を介して該注出口を封止する蓋部と、
肉薄部が破断され開封容易になった該蓋部を回転可能にする、該蓋部と該注出口との一端に設けられたヒンジ部とを備え、
該ヒンジ部は、該蓋部の回転中心部と、該回転中心部近傍であって該容器頂部から後方に突出した第１係止部と、該回転中心部近傍であって該蓋部から後方に突出した第２係止部とを備え、
第１係止部及び第２係止部は、該蓋部の開放回転に伴って、お互いに接触し、一方が、開放回転方向に変形容易な他方を変形させて引っ掛かり、該蓋部の逆回転に伴って、逆回転方向に変形し難い他方によって一方の引っ掛かりを維持し、
該他方の係止部が、断面く字形状を有して、該一方の係止部が、断面突起形状を有している、
ことを特徴とする包装容器。
【請求項２】
容器頂部をインジェクション成形によって形成するプラスチックが、100-300 Mpaの弾性率及び100-150%の伸びの特性を有する低密度ポリエチレンである、請求項１記載の包装容器。
【請求項３】
前記蓋部が前方に突出して下方に曲がった把持部を有し、肉薄部を破断し開封しながら該蓋部を回転容易にする可能にする、請求項１記載の包装容器。
【請求項４】
薄い器壁厚の容器頂部である開封装置が、注出口と、
該注出口の外周に形成された肉薄部を介して該注出口を封止する蓋部と、
肉薄部が破断され開封容易になった該蓋部を回転可能にする、該蓋部と該注出口との一端に設けられたヒンジ部とを備え、
該ヒンジ部は、該蓋部の回転中心部と、該回転中心部近傍であって該容器頂部から後方に突出した第１係止部と、該回転中心部近傍であって該蓋部から後方に突出した第２係止部とを備え、
第１係止部及び第２係止部は、該蓋部の開放回転に伴って、お互いに接触し、一方が、開放回転方向に変形容易な他方を変形させて引っ掛かり、該蓋部の逆回転に伴って、逆回転方向に変形し難い他方によって一方の引っ掛かりを維持し、
該他方の係止部が、断面く字形状を有して、該一方の係止部が、断面突起形状を有し、
該容器頂部の開封装置が、インジェクション成形によってプラスチックで一体的に形成される、
ことを特徴とする包装容器用開封装置。
【請求項５】
前記蓋部の回転中心部が、該注出口外周の未破断部を屈曲することにより機能する、請求項４記載の包装容器用開封装置。
【発明の詳細な説明】
【技術分野】
【０００１】
本発明は、ジュースや牛乳などの液体食品などを充填する包装紙容器及び包装容器用開封装置に関する。
【背景技術】
【０００２】
牛乳、ジュース、ミネラルウォーターなどの飲料、流動食品などの紙包装容器は、例えば、繊維質基材（例えば、紙など）／ポリエチレン等の熱可塑性材料層の積層体の包装材料から得られる。
【０００３】
液体食品用包装容器には、包装容器本体と、液体食品を注ぎ出すための蓋部分とからなる複合包装容器がある。通常、蓋部分はポリエチレン、ポリプロピレン、ポリスチレンなどのプラスチックから成形されている。
図８に複合包装容器の一例を示す。この包装容器１は紙容器本体（容器スリーブ）２とプラスチック容器頂部３とからなる。容器頂部３の頂部中央には、注ぎ口（注出口）４用の蓋部５が一体成形されている。使用（開封）時には、カバー外縁を周回する脆弱な弱め線（肉薄部）６を引き裂いて蓋部５を引き上げ、注ぎ口４を開口する。
【０００４】
図９に、図８に示す複合包装容器を製造する装置の一例を示す。
装置例に示すように、ウェブ状の積層紙包装材料を巻き上げたリール７を準備する。リール７からウェブ状の紙包装材料を引き出して、所定の形状に切断し、紙製容器のスリーブ８を得る。ついで、そのスリーブ上端部にインジェクション成形装置９によってプラスチックで容器頂部３が形成される。容器を逆さにしてスリーブ下端部の容器底部の開口から充填装置１０によって食品を充填する。その後、底部をシール装置（図示せず）シールして包装容器１を得る。
【０００５】
上記の紙製の複合包装容器の成形において使用されるインジェクション成形用のプラスチックは、その特性が限定された主に低密度ポリエチレン（ＬＤＰＥ）が使用されている。
このようなプラスチックで成形された容器頂部は、比較的柔らかく、図８に示す容器では、カバー外縁を周回する脆弱な弱め線（肉薄部）６を引き裂いて蓋部５を引き上げ、注ぎ口４を開口し、注ぎ口４を広くあけておくために、蓋部５をどこかに引っ掛けようとしても十分に係止することができない。
【０００６】
蓋部を引っ掛けて十分に係止し、注ぎ口を広くあけておくことは、容器使用者である消費者が快適にジュースや牛乳などの液体食品を飲用するために重要である。
注ぎ口を広く確保するために、紙製包装容器の頂部が片流れ屋根形状に成形することが提案されている。（特許文献１参照）
【０００７】
【特許文献１】国際公開02/10020号公報
【発明の開示】
【発明が解決しようとする課題】
【０００８】
本発明は、インジェクション成形用の比較的柔らかくプラスチックからなり、薄い器壁厚の容器頂部の開口装置であっても、容器頂部の蓋部を十分に係止させて注ぎ口を広くあけておくことができ、消費者が快適にジュースや牛乳などの液体食品を飲用することができる包装容器及び包装容器用開封装置を提供することを目的とする。
【課題を解決するための手段】
【０００９】
この課題を解決する本発明の包装容器は、ウェブ状の積層紙包装材料が所定形状に裁断され、容器縦方向に縦シールした容器スリーブが得られ、スリーブ上端部に薄い器壁厚の容器頂部がインジェクション成形によってプラスチックで形成され、スリーブ下端部である容器底部の開口から食品が充填され、底部がシールされて得られた包装容器であって、
容器頂部が、注出口と、
注出口の外周に形成された肉薄部を介して注出口を封止する蓋部と、
肉薄部が破断され開封容易になった蓋部を回転可能にする、蓋部と注出口との一端に設けられたヒンジ部とを備え、
ヒンジ部は、蓋部の回転中心部と、回転中心部近傍であって容器頂部から後方に突出した第１係止部と、回転中心部近傍であって蓋部から後方に突出した第２係止部とを備え、
第１係止部及び第２係止部は、蓋部の開放回転に伴って、お互いに接触し、一方が、開放回転方向に変形容易な他方を変形させて引っ掛かり、蓋部の逆回転に伴って、逆回転方向に変形し難い他方によって一方の引っ掛かりを維持し、
一方の係止部が、断面く字形状を有して、他方の係止部が、断面突起形状を有している、ことを特徴とする。
【００１０】
この発明の好ましい態様において、第１係止部及び第２係止部は、蓋部の開放回転に伴って、お互いに接触し、第２係止部が、開放回転方向に変形容易な第１係止部を変形させて引っ掛かり、蓋部の逆回転に伴って、逆回転方向に変形し難い第１係止部によって第２係止部の引っ掛かりを維持し、第１係止部の係止部が、断面く字形状を有して、第２係止部の係止部が、断面突起形状を有している。
【００１１】
この発明の好ましい別の態様において、第１係止部及び第２係止部は、蓋部の開放回転に伴って、お互いに接触し、第１係止部が、開放回転方向に変形容易な第２係止部を変形させて引っ掛かり、蓋部の逆回転に伴って、逆回転方向に変形し難い第２係止部によって第１係止部の引っ掛かりを維持し、第２係止部の係止部が、断面く字形状を有して、第１係止部の係止部が、断面突起形状を有している。
【００１２】
この発明の好ましい態様において、容器頂部をインジェクション成形によって形成するプラスチックが、100-300 Mpaの弾性率（ISO 527-2/A/1）及び100-150%の伸び(ISO 527-2/1A/50)の特性を有する低密度ポリエチレンである。
【００１３】
この発明の好ましい態様において、蓋部が前方に突出して下方に曲がった把持部を有し、肉薄部を破断し開封しながら蓋部を回転容易にする可能にする。
【００１４】
この発明の包装容器用開封装置において、薄い器壁厚の容器頂部である開封装置が、注出口と、
注出口の外周に形成された肉薄部を介して注出口を封止する蓋部と、
肉薄部が破断され開封容易になった蓋部を回転可能にする、蓋部と注出口との一端に設けられたヒンジ部とを備え、
ヒンジ部は、蓋部の回転中心部と、回転中心部近傍であって容器頂部から後方に突出した第１係止部と、回転中心部近傍であって蓋部から後方に突出した第２係止部とを備え、
第１係止部及び第２係止部は、蓋部の開放回転に伴って、お互いに接触し、一方が、開放回転方向に変形容易な他方を変形させて引っ掛かり、蓋部の逆回転に伴って、逆回転方向に変形し難い他方によって一方の引っ掛かりを維持し、
他方の係止部が、断面く字形状を有して、一方の係止部が、断面突起形状を有し、
容器頂部の開封装置がインジェクション成形によってプラスチックで一体的に形成されることを特徴とする。
【００１５】
この発明の好ましい態様において、蓋部の回転中心部が、注出口外周の未破断部を屈曲することにより機能する。
【発明の効果】
【００１６】
以上の本発明によれば、以下の有利な効果が得られる。
本発明の包装容器は、ウェブ状の積層紙包装材料が所定形状に裁断され、容器縦方向に縦シールした容器スリーブが得られ、スリーブ上端部に薄い器壁厚の容器頂部がインジェクション成形によってプラスチックで形成され、スリーブ下端部である容器底部の開口から食品が充填され、底部がシールされて得られた包装容器である。
上述の包装容器では、容器頂部の形状、寸法を非常に幅広い範囲で変更、選択することができる。そのようなオプションの中で、本発明の包装容器の所望の頂部を選択し、成形することができる。
容器頂部が、注出口と、注出口の外周に形成された肉薄部を介して注出口を封止する蓋部と、蓋部と注出口との一端に設けられたヒンジ部とを備えるので、肉薄部が破断され開封容易になった蓋部を回転可能にすることができ、更に、その蓋部分を係止する可能性をつくることができる。
【００１７】
ヒンジ部は、蓋部の回転中心部と、回転中心部近傍であって容器頂部から後方に突出した第１係止部と、回転中心部近傍であって蓋部から後方に突出した第２係止部とを備えるので、係止すべき部分を特定することができる。
第１係止部及び第２係止部は、蓋部の回転中心部を介して、蓋部が開放方向に回転し、その回転に伴って、お互いに接触する。この接触によって、一方が、開放回転方向に変形容易な他方を変形させる。他方が変形して、一方を他方が受け入れてその結果、一方と他方とが引っ掛かる。
【００１８】
次いで、蓋部が逆戻りして逆回転使用とする場合、他方の係止部は、逆回転方向に変形し難いので、一方の係止部が依然、引っ掛かり、その係止状態を維持することができる。
一方の係止部が、断面く字形状を有して、他方の係止部が、断面突起形状を有しているので、上記機能を実現することができる。
【００１９】
この発明の好ましい態様において、容器頂部を形成するプラスチックが、100-300 Mpa、好ましくは150-250 Mpaの弾性率（ISO 527-2/A/1）及び100-150%、好ましくは120-140%の伸び(ISO 527-2/1A/50)の特性を有する低密度ポリエチレンであるので、インジェクション成形によって形成することができ、上記第１係止部及び第２係止部がこの発明による構成を有することによって、容器頂部の蓋部を十分に係止させて注ぎ口を広くあけておくことができる。
【００２０】
この発明の好ましい態様において、蓋部が前方に突出して下方に曲がった把持部を有するために、容器使用者が把持部に指を引っ掛けることができ、把持部が前方に突出して下方に曲がっているので、指が把持部から離れることが少なく、肉薄部を破断し開封しながら蓋部を回転容易にする可能にする。
【００２１】
この発明の好ましい態様において、蓋部の回転中心部が、注出口外周のプラスチック未破断部を屈曲することにより回転するので、最も簡単な機構で回転機能を示すことができる。
【発明を実施するための最良の形態】
【００２２】
以下、本発明の実施の形態について図面を参照しながら詳細に説明する。
図１は、第１の実施例の包装容器及び包装容器用開封装置の外観を示す斜視図及びヒンジ部のの機能を示す一部拡大図である。
図２は、この発明による第２の実施例の包装容器用開封装置の外観を示す側面図である。
図３は、この発明による第２の実施例の包装容器用開封装置のヒンジ部の第１係止部と第２係止部との動作を示す側面図である。
図４は、この発明による第２の実施例の包装容器用開封装置のヒンジ部の第１係止部と第２係止部との動作を示す側面図である。
図５は、この発明による第２の実施例の包装容器用開封装置のヒンジ部の第１係止部と第２係止部との動作を示す側面図である。
図６は、この発明による第２の実施例の包装容器用開封装置のヒンジ部の第１係止部と第２係止部との動作を示す側面図である。
図７は、この発明による第２の実施例の包装容器用開封装置の外観を示す斜視図である。
図１０は、第２の実施例の包装容器及び包装容器用開封装置の外観を示す側面図、正面図、平面図、底面図である。
【００２３】
図１に、第１の実施例の包装容器及び包装容器用開封装置の外観及びその機能を示す。この包装容器１は紙容器本体２とプラスチック容器頂部（開封装置）３とからなる。容器頂部３の頂部中央には、注ぎ口（注出口）４用の蓋部５が一体成形されている。使用（開封）時には、カバー外縁を周回する脆弱な弱め線（肉薄部）６を引き裂いて蓋部５を引き上げ、注ぎ口４を開口する。
【００２４】
図１に示す第１の実施例の包装容器１及び包装容器用開封装置３は、図９に示す複合包装容器を製造する装置例によって、ウェブ状の積層紙包装材料７が所定形状に裁断され、容器縦方向に縦シールした容器スリーブ８が得られ、スリーブ上端部に薄い器壁厚の容器頂部がインジェクション成形９によってプラスチックで形成され、スリーブ下端部である容器底部の開口から食品が充填装置１０によって充填され、底部がシールされて得られる。
【００２５】
図１が示すように、第１の実施例の包装容器１において、開封装置（容器頂部）３が、注出口４と、注出口の外周に形成された肉薄部６を介して注出口を封止する蓋部５と、蓋部と注出口との一端（後端）に設けられたヒンジ部１１とを備える。
ヒンジ部１１が蓋部を回転可能にすることができる。
【００２６】
第１の実施例の包装容器１において、ヒンジ部１１は、蓋部の回転中心部１２と、回転中心部近傍であって容器頂部から後方に突出した第１係止部１３と、回転中心部近傍であって蓋部から後方に突出した第２係止部１４とを備える。
【００２７】
第１の実施例の包装容器のヒンジ部の機能を示す一部拡大図である図１が示すように、第２係止部１４は、蓋部５の回転中心部１１を介して、蓋部５と共に開放方向に回転し、その回転に伴って、第１係止部１３と第２係止部１４とがお互いに接触する。この接触によって、第１係止部１３が、開放回転方向に変形容易な第２係止部１４を変形させる。第２係止部１４が変形して、第１係止部１３を第２係止部１４が受け入れてその結果、第１係止部１３と第２係止部１４とが引っ掛かる。
【００２８】
次いで、蓋部５が逆戻りして逆回転使用とする場合、第２係止部１４は、逆回転方向に変形し難いので、第１係止部１３が依然、引っ掛かり、その係止状態を維持することができる。
第２係止部１４が、断面く字形状を有して、第１係止部１３が、断面突起形状を有しているので、上記機能を実現することができる。
【００２９】
図２に、第２の実施例の包装容器用開封装置の外観を示す。この包装容器は紙容器本体２とプラスチック容器頂部（開封装置）３とからなる。容器頂部３の頂部中央には、注ぎ口（注出口）用の蓋部５が一体成形されている。使用（開封）時には、カバー外縁を周回する脆弱な弱め線（肉薄部）６を引き裂いて蓋部５を引き上げ、注ぎ口を開口する。
【００３０】
図２に示す第２の実施例の包装容器及び包装容器用開封装置３は、第１の実施例のように、図９に示す複合包装容器を製造する装置例によって、得られる。
図２が示すように、第２の実施例の包装容器において、開封装置（容器頂部）３が、注出口と、注出口の外周に形成された肉薄部６を介して注出口を封止する蓋部５と、蓋部と注出口との一端（後端）に設けられたヒンジ部１１とを備える。
ヒンジ部１１が蓋部を回転可能にすることができる。
【００３１】
第２の実施例の包装容器１において、ヒンジ部１１は、蓋部の回転中心部１２と、回転中心部近傍であって容器頂部から後方に突出した第１係止部１３と、回転中心部近傍であって蓋部から後方に突出した第２係止部１４とを備える。
【００３２】
第２の実施例の包装容器のヒンジ部の機能を、一部拡大図である図３〜６で示す。
図３に示すように、第２係止部１４は、蓋部５の回転中心部１１を介して、蓋部５と共に開放方向に回転し、その回転に伴って、第１係止部１３と第２係止部１４とがお互いに接触する。この態様において、第１係止部１３が、断面く字形状を有して、第２係止部１４が、断面突起形状を有している。回転によって、第２係止部１４の断面突起形状の先端が、第１係止部１３の断面く字形状の下方に垂れ下がった部分に接触する。
【００３３】
この接触後更に回転させることによって、図４に示すように、第２係止部１４が、開放回転方向に変形容易な第１係止部１３を変形させる。
この態様において、蓋部の回転中心部が、注出口外周のプラスチック未破断部を屈曲することにより回転するので、最も簡単な機構で回転機能を示すことができる。
第１係止部１３が、断面く字形状を有し、断面く字状の中心の変形中心１３ｃから、第１係止部１３の断面く字形状の下方に垂れ下がった部分１３bが、図４に示すように、第２係止部１４の断面突起形状の先端によって、変形する。
上記のように第１係止部１３の断面く字形状の水平部分１３ａが変形せず、下方に垂れ下がった部分１３bが、本発明に構成により、変形する。
【００３４】
更に回転させることによって、図５に示すように、プラスチックの可撓性のある第１係止部１３が、矢印に示すように、第２係止部１４のオーバーハング部分の内側に入り込み、第１係止部１３と第２係止部１４とが、係止する。
第１係止部１３を第２係止部１４が受け入れてその結果、第１係止部１３と第２係止部１４とが引っ掛かる。
【００３５】
図６に示すように、蓋部５が逆戻りして逆回転使用とする場合、第１係止部１３は、逆回転方向に変形し難い。第１係止部１３の断面く字形状の下方に垂れ下がった部分１３bが、第２係止部１４のオーバーハング部分の内側に入り込んでいるので、第１係止部１３が依然、引っ掛かり、その係止状態を維持することができる。
【００３６】
上記の実施例による包装容器及び包装容器用開封装置によって、インジェクション成形用の比較的柔らかくプラスチックからなり、薄い器壁厚の容器頂部の開口装置であっても、容器頂部の蓋部を十分に係止させて注ぎ口を広くあけておくことができ、消費者が快適にジュースや牛乳などの液体食品を飲用することができる。
【００３７】
図７は、この発明による第２の実施例の包装容器用開封装置の外観を示す斜視図である。
第２の実施例の包装容器用開封装置の外観を示す。容器頂部（開封装置）３の頂部中央には、注ぎ口（注出口）用の蓋部５が一体成形されている。使用（開封）時には、カバー外縁を周回する脆弱な弱め線（肉薄部）を引き裂いて蓋部５を引き上げ、注ぎ口を開口する。
第２の実施例の包装容器１において、ヒンジ部は、蓋部の回転中心部１２と、回転中心部近傍であって容器頂部から後方に突出した第１係止部１３と、回転中心部近傍であって蓋部から後方に突出した第２係止部とを備える。
この態様において、
この態様において、蓋部が前方に突出して下方に曲がった把持部１５を有するために、容器使用者が把持部１５に指を引っ掛けることができ、把持部１５が前方に突出して下方に曲がっているので、指が把持部１５から離れることが少なく、肉薄部を破断し開封しながら蓋部を回転容易にする可能にする。
【００３８】
図１０に、第２の実施例の包装容器及び包装容器用開封装置の外観を示す側面図（ａ）、正面図（ｂ）、平面図（ｃ）、底面図（ｄ）である。
この包装容器は紙容器本体２とプラスチック容器頂部（開封装置）３とからなる。容器頂部３の頂部中央には、蓋部５が一体成形されている。
ヒンジ部は、蓋部の回転中心部と、回転中心部近傍であって容器頂部から後方に突出した第１係止部１３と、回転中心部近傍であって蓋部から後方に突出した第２係止部１４とを備える。
【００３９】
なお、本発明は前記実施の形態に限定されるものではなく、本発明の趣旨に基づいて種々変形させることが可能であり、それらを本発明の範囲から排除するものではない。
【産業上の利用可能性】
【００４０】
この発明の包装容器は、ジュースや牛乳などの液体食品などを充填した包装容器に適用することができる。
【図面の簡単な説明】
【００４１】
【図１】図１は、第１の実施例の包装容器及び包装容器用開封装置の外観を示す斜視図及びヒンジ部のの機能を示す一部拡大図である。
【図２】図２は、この発明による第２の実施例の包装容器用開封装置の外観を示す側面図である。
【図３】図３は、この発明による第２の実施例の包装容器用開封装置のヒンジ部の第１係止部と第２係止部との動作を示す側面図である。
【図４】図４は、この発明による第２の実施例の包装容器用開封装置のヒンジ部の第１係止部と第２係止部との動作を示す側面図である。
【図５】図５は、この発明による第２の実施例の包装容器用開封装置のヒンジ部の第１係止部と第２係止部との動作を示す側面図である。
【図６】図６は、この発明による第２の実施例の包装容器用開封装置のヒンジ部の第１係止部と第２係止部との動作を示す側面図である。
【図７】図７は、この発明による第２の実施例の包装容器用開封装置の外観を示す斜視図である。
【図８】図８は、従来の複合包装容器の一例を示す斜視図である。
【図９】図９に、複合包装容器を製造する装置の一例を示す概念斜視図である。
【図１０】図１０は、第２の実施例の包装容器及び包装容器用開封装置の外観を示す側面図、正面図、平面図、底面図である。
【符号の説明】
【００４２】
１  ・・・包装容器
３  ・・・容器頂部
４  ・・・注出口
５  ・・蓋部
１１・・ヒンジ部
１３・・第１係止部
１４・・第２係止部
【図１】
2007153381.tif 000003
【図２】
2007153381.tif 000004
【図３】
2007153381.tif 000005
【図４】
2007153381.tif 000006
【図５】
2007153381.tif 000007
【図６】
2007153381.tif 000008
【図７】
2007153381.tif 000009
【図８】
2007153381.tif 000010
【図９】
2007153381.tif 000011
【図１０】
2007153381.tif 000012